(57)【要約】【課題】パケット交換移動電話ネットワークで加入者端末を測位する方法、ネットワーク要素及びシステムを実現する。【解決手段】前記の移動電話ネットワークはコアネットワーク要素SGSN、504、基地局、基地局を制御する基地局コントローラ501及び移動端末装置を備え、接続はパケット交換方式で構成される。前記のシステムは、基地局コントローラと機能的に接続された、移動端末装置の位置を決定する位置ユニットSMLC、505を備え、基地局コントローラと位置ユニット間の接続は回線交換接続である。基地局コントローラは、回線交換とパケット交換のメッセージをそれぞれ処理する回線交換BSCの機能とパケット交換PCUの機能の双方及びパケット交換機能と回線交換機能間である特定の測位と関連するデータ伝送を行うための回線交換機能とパケット交換機能間の関連付けを確立する手段506、507を備える。【選択図】図５
2008029029.tif 000002
【特許請求の範囲】
【請求項１】
パケット交換移動電話ネットワークにおいて加入者端末（ＭＳ）を測位する方法であって、前記端末装置の測位のために、移動電話ネットワークの基地局コントローラ（ＧＥＲＡＮ、ＢＳＣ、ＰＣＵ）を介してメッセージを伝送する前記方法において、前記測位に必要な通信を実現するために、前記移動電話ネットワークの前記基地局コントローラ（ＧＥＲＡＮ、ＢＳＣ、ＰＣＵ、１０２、ＲＮＣ）において回線交換とパケット交換双方のメッセージを利用し、パケット交換と回線交換機能間で或る測位に関連するデータを転送するためにこれらのメッセージ間の関連付け（５０７）を確立することを特徴とする方法。
【請求項２】
或る測位と関連するデータが或る位置要求と関連するデータであることを特徴とする請求項１に記載の方法。
【請求項３】
或る測位と関連するデータが或る加入者端末の測位と関連するデータであることを特徴とする請求項１に記載の方法。
【請求項４】
位置の決定が位置センタ（ＳＭＬＣ）により実行され、前記基地局コントローラ（ＧＥＲＡＮ、ＢＳＣ）と前記位置センタ（ＳＭＬＣ）間の接続が回線交換接続であり、前記移動電話ネットワークにおけるその他の接続がパケット交換接続であることを特徴とする請求項１に記載の方法。
【請求項５】
前記移動電話ネットワークのコアネットワーク要素（ＳＧＳＮ）が、回線交換接続を確立するためにパケット識別子（ＢＳＳＧＰ/ＴＬＬＩ）を持つパケット交換形式で前記基地局コントローラ（ＧＥＲＡＮ、ＢＳＣ）へ前記位置要求を伝送することを特徴とする請求項４に記載の方法。
【請求項６】
パケット交換メッセージ識別子（ＴＬＬＩ）を回線交換メッセージ識別子（ＳＣＣＰ−ＩＤ）と相互に関連させることにより前記関連付けを確立することを特徴とする請求項１〜５のいずれか一項に記載の方法。
【請求項７】
回線交換プロトコルの下で転送可能なメッセージに前記パケット交換メッセージを変換することを特徴とする請求項６に記載の方法。
【請求項８】
パケット交換プロトコルの下で転送可能なメッセージに前記回線交換メッセージを変換することを特徴とする請求項６に記載の方法。
【請求項９】
前記パケット交換機能がパケット交換プロトコル（ＢＳＳＧＰ）を含むことを特徴とする請求項１に記載の方法。
【請求項１０】
前記回線交換機能が回線交換プロトコル（ＳＳ７）を含むことを特徴とする請求項１に記載の方法。
【請求項１１】
前記基地局コントローラ（ＧＥＲＡＮ、ＢＳＣ、ＲＮＣ、１０２）と前記位置センタ（ＳＭＬＣ）間の接続が、ＳＳ７プロトコルを用いてＬｂインターフェースを介して行われることを特徴とする請求項４又は１０に記載の方法。
【請求項１２】
パケット交換移動電話ネットワークにおける加入者端末を測位するシステムであって、前記のネットワークは、コアネットワーク要素（ＳＧＳＮ、１４０）、基地局（１００、Ｂ）、前記基地局を制御する基地局コントローラ（１０２、ＲＮＣ、ＧＥＲＡＮ）、及び、前記移動電話ネットワークの移動端末装置（ＭＳ、１５０）を備え、さらに、前記移動電話ネットワークにおける接続がパケット交換方式で構成される前記システムにおいて、
前記移動電話ネットワークの前記基地局コントローラと機能的に接続される前記の端末装置（ＭＳ、１５０）の位置決定用位置ユニット（ＳＭＬＣ）を有し、前記基地局コントローラ（１０２、ＲＮＣ、ＧＥＲＡＮ）と前記位置ユニット（ＳＭＬＣ）間の接続は回線交換接続であり、さらに、前記基地局コントローラ（１０２、ＲＮＣ、ＧＥＲＡＮ）が、
回路交換メッセージとパケット交換メッセージとをそれぞれ処理するための、回線交換（ＢＳＣ、ＳＳ７）とパケット交換（ＰＣＵ、ＢＳＳＧＰ）双方の機能と、
前記パケット交換機能と前記回線交換機能間で或る特定の測位と関連するデータ伝送を行うために前記回線交換機能と前記パケット交換機能間の関連付けを確立する手段（５０６、５０７）と、を有することを特徴とするシステム。
【請求項１３】
前記回線交換機能が回線交換プロトコル・スタック（ＳＳ７）を含み、さらに、前記パケット交換機能がパケット交換プロトコル・スタック（ＢＳＳＧＰ）を含むことを特徴とする請求項１２に記載のシステム。
【請求項１４】
前記基地局コントローラ（５０１、１０２、ＲＮＣ、ＧＥＲＡＮ）がパケット交換メッセージを回線交換メッセージに変換する手段（５０６）を含むことを特徴とする請求項１２に記載のシステム。
【請求項１５】
前記基地局コントローラ（５０１、１０２、ＲＮＣ、ＧＥＲＡＮ）が回線交換メッセージをパケット交換メッセージに変換する手段（５０６）を含むことを特徴とする請求項１２に記載のシステム。
【請求項１６】
前記基地局コントローラ（１０２、ＲＮＣ、ＧＥＲＡＮ）と前記位置ユニット（ＳＭＬＣ）間にＬｂインターフェースが存在し、前記Ｌｂインターフェースを介する通信をＳＳ７プロトコルを用いて行うように構成することを特徴とする請求項１２に記載のシステム。
【請求項１７】
前記位置ユニット（ＳＭＬＣ）が前記端末装置の位置を決定できるようにするために、前記システムが前記端末装置（ＭＳ）から信号を取得する手段を含むことを特徴とする請求項１２に記載のシステム。
【請求項１８】
パケット交換移動通信システムのネットワーク要素（５０１、１０２、ＲＮＣ、ＧＥＲＡＮ）であって、パケット交換メッセージを処理するためのパケット交換機能を実現する手段（ＰＣＵ、ＢＳＳＧＰ、５０２）を有する前記ネットワーク要素において、
回線交換メッセージを処理するための回線交換（ＢＳＣ、ＳＳ７）機能を実現する手段と、
前記パケット交換機能と前記回線交換機能間である特定の通信と関連するデータ伝送をするために前記回線交換機能と前記パケット交換機能間の関連付けを確立する手段（５０６、５０７）と、を有することを特徴とするネットワーク要素。
【請求項１９】
位置ユニット（ＳＭＬＣ）との回線交換接続を確立する手段（５０２）と、
前記の移動通信システムのコアネットワークとのパケット交換接続を確立する手段（５０３）と、
移動通信端末装置の測位と関連する通信を処理し、パケット交換と回線交換の測位用通信を相互に関連づける手段（５０６、５０７）と、を有することを特徴とする請求項１８に記載のネットワーク要素。
【発明の詳細な説明】
【技術分野】
【０００１】
本発明は、パケット交換移動電話ネットワークにおける加入者端末の測位に関する。
【背景技術】
【０００２】
加入者端末の測位、すなわち、加入者端末の地理上の所在位置の決定はセルラ無線ネットワークにおける重要な機能である。米国では、ＦＣＣ（米国連邦通信委員会）により、緊急呼出しを発呼するいずれの加入者端末についてもその所在位置を５０メートルの精度で決定できなければならないことが求められている。この所在位置情報は、例えば種々の料金ゾーンを決定したり、ユーザを案内するナビゲーションサービスを実行したりするためなどの商用手段としても利用可能である。位置サービス（ＬＣＳ）は、従来主としＧＳＭシステム（移動通信用広域システム）のような回線交換セルラ無線ネットワークで利用するために開発されてきた。
【０００３】
位置サービスを実現する様々な方法が存在する。最も粗いレベルでは、加入者端末の所在位置は、加入者端末にサービスを提供しているセルの識別子により決定することができる。セルの直径は数１０キロメートルになる場合もあるため、この位置情報はあまり正確なものではない。
【０００４】
補足情報として例えばタイミング・アドバンス（ＴＡ）などの無線接続のタイミング情報を利用してさらに正確な結果を得ることができる。ＧＳＭシステムでは、ＴＡにより、ほぼ５５０メートルの精度で加入者端末の所在位置が示される。但し問題点として、全方向アンテナを使用している場合、加入者端末の所在位置が、基地局のまわりの或る境界線上に在るものしか決定できないという点が挙げられる。３つの別個のセクタを持つ基地局の場合、状況は多少良くはなるが、この場合でさえ、加入者端末の所在位置は１２０度の広さで、基地局から一定距離５５０メートルの深さのセクタの内部に在るものしか決定できない。
【０００５】
これらの不正確な方法でさえ料金ゾーンの決定などのようないくつかのアプリケーション用としては十分である。以上の方法に加えて、さらに正確な方法が開発されている。通常、これらの方法は、加入者端末からの送信信号の測定を行ういくつかの異なる基地局をベースとするものであり、一例としてＴＯＡ（着信時刻）法がある。
【０００６】
加入者端末は複数の基地局が送信する信号の測定を行うことも可能であり、このような方法の一例として、Ｅ−ＯＴＤ（拡張型観察時間差）法がある。同期型ネットワークでは、加入者端末は、様々な基地局からの信号受信時点間の相互関係の測定が可能である。非同期型ネットワークでは、基地局が送信した信号は所定の固定点に在る位置測定ユニット（ＬＭＵ）でも受信される。加入者端末の所在位置は時間遅延から計算される幾何学的成分から決定される。
【０００７】
位置を決定する別の方法として、加入者端末の中へ取り付けられたＧＰＳ（全地球測位システム）受信機を利用する方法がある。ＧＰＳ受信機は、地球の軌道周回を行う少なくとも４つの衛星から信号を受信する。これらの信号から加入者端末の緯度、経度、高度の計算／決定が可能となる。加入者端末は自主的にその位置を決定するか、補助を受けるかのいずれかが可能である。無線システムのネットワーク構成要素は、測位を迅速にするために補助メッセージを加入者端末へ送ることができ、これにより加入者端末の消費電力が低減される。補助メッセージは、日時と、可視衛星のリストと、衛星信号のドップラ位相と、コード位相用の探索窓とを含むことができる。加入者端末は、位置の実際の計算／決定を行うネットワーク構成要素へ受信情報を送ることも可能である。
【０００８】
本願では、無線システムのネットワーク構成要素は無線システムの固定部、すなわち、加入者端末を除くシステム全体またはネットワークのある特定要素のいずれかを意味する（すなわち、すべてのネットワーク機能が必ずしもネットワークのすべての要素を必要とするというわけではなく、したがって、‘ネットワーク’という用語はネットワークの単一要素により行われる動作を意味する場合もある）。したがって、ネットワーク構成要素には種々の方法で互いに交信するネットワーク要素が含まれる。
【０００９】
回線交換ＧＳＭシステムで利用されるような、ネットワーク構成要素の従来知られている測位方法では、ＳＭＬＣ（サービス移動位置センタ）ネットワーク要素が利用される。測位に必要なネットワーク要素間の通信はデータリンク層と上位層の双方のシグナリングメッセージによって行われる。したがって、ＳＭＬＣネットワーク要素は、要求により実際の測位の計算／決定を実行する。
【００１０】
移動局から発信される位置要求（ＭＯ−ＬＲ）または移動局へ着信する位置要求（ＭＴＬＲ）のいずれかの場合（後者の場合外部クライアントにより発信が行われる）、２つのＳＣＣＰ（シグナリング接続制御部）が開かれ、ネットワークレベルで機能へのアクセスが行われる。ＳＣＣＰには所在位置の決定に必要なメッセージの交換設備が含まれる。一方のＳＣＣＰはＭＳＣ（移動交換センタ）とＢＳＣ（基地局コントローラ）との間に存在し、他方のＳＣＣＰは、ＢＳＣと使用されているＳＭＬＣ（サービス移動位置センタ）との間に存在する。ＳＣＣＰ接続はコネクション型として知られているタイプの接続である。各ＳＣＣＰ接続は関連付けの確立に使用可能なそれ自身の識別子（ＳＣＣＰ接続ＩＤ）を備えている。
【００１１】
上記２つのＳＣＣＰ接続を開いた後、ＳＭＬＣへ位置要求を伝送することが可能となる。ＢＳＣは無線インターフェースを介して移動端末装置とＳＭＬＣ間で測位メッセージを転送する。同じ接続を用いて、ＳＭＬＣと、加入者にサービスを提供している基地局との間でＢＳＳＬＡＰ（基地局サブシステムリンクアクセス・プロトコル）メッセージの伝送を行うことも可能である。正しい移動局（ＭＳ）へ接続を割り当てることは基地局コントローラ（ＢＳＣ）の役割であるため、前記上位層のメッセージは接続に関するいかなる情報も、あるいはいかなる端末装置識別データも含む必要はない。
【００１２】
パケット交換ネットワークでは、回線交換シグナリングを利用する手段が存在しないため、以上提示した方法を利用することは不可能である。例えば、この目的のために利用するＳＣＣＰ接続が存在しない。したがってパケット交換ネットワークでは、第３層接続を識別する情報はメッセージの中に含まれていなければならない。例えば、第３層または上位層のメッセージの中にいわゆるＴＬＬＩ（一時論理リンク識別子）を含めることが可能である。同じＴＬＬＩは、無線接続時のＲＬＣ／ＭＡＣ（無線リンク制御／媒体アクセス制御）プロトコルでも使用される。
【特許文献１】国際公開第００／２５５４５号パンフレット
【発明の開示】
【発明が解決しようとする課題】
【００１３】
この場合問題となるのは、ＢＳＣと、Ｌｂインターフェースを備えるＳＭＬＣ間での通信であり、Ｌｂインターフェースにパケット交換通信をサポートさせる方法である。困難な部分として、ＳＭＬＣと、ＭＳと、ＳＧＳＮ（サービスＧＰＲＳサポートノード）の３つのパーティ間でシグナリングを確立する方法がある。ＳＧＳＮはＧＰＲＳ（一般パケット無線サービス）システムから周知のものである。ある固有の難点として、ＰＣＵ（パケット制御ユニット）が、ある特定の端末装置の通信と、Ｌｂインターフェースを介する通信との関連付けを行うことができないという点が挙げられる。
【００１４】
ＧＰＲＳやＥＧＰＲＳ（拡張型一般パケット無線サービス）のようなパケット交換無線システムでは、位置サービスの実施に対してあまり注意が払われてこなかった。ＥＧＰＲＳは、パケット交換通信を利用するＧＳＭ（移動通信用広域システム）ベースのシステムである。ＥＧＰＲＳでは、ＥＤＧＥ（次世代ＧＳＭ用拡張型データレート）技術を利用して通信容量の増大が図られる。ＧＳＭと共に通常使用される、ＧＭＳＫ（ガウス最少シフトキーイング）変調に加えて、パケットデータチャネル用として８−ＰＳＫ（８位相シフトキーイング）変調の利用が可能である。第１の目標として、ファイルコピーやインターネットの閲覧のような非リアルタイムのデータ通信サービスの実施があるが、例えば、音声及びビデオ伝送用のリアルタイムのパケット交換サービスも実現可能である。
【００１５】
上述の測位方法により要求される情報を転送するために、パケット交換無線システムでは、パケット交換伝送チャネル（いわゆるコネクションレス型プロトコルを用いる）を無線システムのコアネットワーク（ＳＧＳＮのような）と加入者端末ＭＳとの間で確立することが求められる。そのため、コアネットワークは、無線システムの無線ネットワーク（ＢＳＣのような）に接続を開始するように要求する。必要なシグナリングは比較的重く、低速である。それにもかかわらず、時間が決定的重要性を持つアプリケーションでは位置サービスから加入者端末の所在位置を迅速に取得することが重要となる。
【課題を解決するための手段】
【００１６】
本発明の着想は、パケット交換ネットワークにおける加入者端末の測位のために、適当なネットワーク要素間でのパケット交換（コネクションレス型）と回線交換（コネクション型）通信の双方の通信を利用することにある。特に、本発明の着想は、基地局コントローラとサービス移動位置センタ間での回線交換接続、及び、他のネットワーク要素間でのパケット交換接続を利用することである。本発明では、パケット交換と回線交換の機能間での関連付けが基地局コントローラで確立される。
【００１７】
本発明の好ましい実施例では、前記関連付けは、パケット交換メッセージと回線交換メッセージ間の関連付けを確立することにより、あるいは、例えば、パケット交換プロトコル層と回線交換プロトコル層間の関連付けを確立することにより実現可能である。さらに、本発明の１つの実施例では、パケット交換メッセージ識別子を回線交換メッセージ識別子と関連づけるテーブルとして上記関連付けの確立が可能である。
【００１８】
本発明の実施例ではＢＳＣとＳＭＬＣ間のＳＳ７プロトコルに基づいたシグナリングが利用される。ＣＣＩＴＴ  ＳＳ７（共通線信号方式７）プロトコルは、通信オペレータにより広く利用されている信号プロトコルである。ネットワーク要素間の信号は、ある特定のシグナリングチャネルでプロトコル層により運ばれる。使用されるプロトコル層は、汎用７層プロトコルモデルに基づき非常に均一である。
【００１９】
本発明の第１の態様によれば、パケット交換移動電話ネットワークにおける加入者端末の測位方法が実現され、その場合、端末装置の測位を行うために、移動電話ネットワークの基地局コントローラを介してメッセージの伝送が行われる。本発明は、測位に必要な通信の実現のために、回線交換メッセージとパケット交換メッセージの双方のメッセージを利用し、パケット交換と回線交換との機能間で或る測位関連データを転送するためにこれらのメッセージ間の関連付けを確立する方法を有することを特徴とする。
【００２０】
上記方法によれば、回線交換位置サーバの利用によりパケット交換ネットワークにおける測位の実行が可能となる。上記方法の利点として、パケット交換測位のためにＳＳ７プロトコルシグナリングの利用が可能であるという点、及び、現今の回線交換測位時に利用されているシグナリングと比較して、このシグナリングがそのまま変更されず（測位に必要な付加的な情報がトランスポート層で送信されるため）、その結果、回線交換ネットワーク（従来からの）から位置センタを利用して、パケット交換ネットワークで測位を実行することが可能である（ＳＳ７シグナリングを用いて）という点が挙げられる。
【００２１】
本発明の第２の態様によれば、パケット交換移動電話ネットワークにおける加入者端末の測位システムが提示され、前記ネットワークは、コアネットワーク要素、基地局、基地局を制御する基地局コントローラ、及び、移動電話ネットワークの移動端末装置を備え、さらに、移動電話ネットワークにおける接続はパケット交換方式で構成され、さらに、上記システムは、
移動電話ネットワークの基地局コントローラと機能的に接続される端末装置の位置決定用位置ユニットを有し、基地局コントローラと位置ユニット間の接続は回線交換接続であり、さらに、前記基地局コントローラが、
回路交換メッセージとパケット交換メッセージとをそれぞれ処理する、回線交換とパケット交換双方の機能と、
パケット交換と回線交換機能間で或る特定の測位と関連するデータを伝送するために回線交換とパケット交換機能間の関連付けを確立する手段と、を有することを特徴とする。
【００２２】
本発明は、例えば、ＧＳＭベースのパケット交換ＧＰＲＳまたはＧＥＲＡＮ（ＧＳＭ  ＥＤＧＥ無線アクセスネットワーク）基地局コントローラを利用するＥＧＰＲＳ無線システムなどにおける測位用として好適である。
【００２３】
本発明の第３の態様によれば、パケット交換移動通信システム用ネットワーク要素が実現され、前記要素は、パケット交換メッセージを処理するパケット交換機能の実現手段を有し、上記ネットワーク要素が、
回線交換メッセージを処理する回線交換機能を実現する手段と、
パケット交換と回線交換機能間である特定の通信に関連するデータを伝送するための回線交換とパケット交換の機能間の関連付けを確立する手段と、を有することを特徴とする。
【００２４】
本発明のこれらの好ましい実施例は非独立特許請求項の主題である。
【発明の効果】
【００２５】
本発明に基づく方法およびシステムは以下の利点を有する。パケット交換位置サービスを実現するための各種デバイスの利用を回避することが可能となる。さらに、本発明によれば、既存のデバイスに対する大きな変更が不要であり、ネットワークにおけるシグナリングがさらに均一なものとなり、さらに、ネットワークオペレータにとって比較的迅速で、比較的コスト効率良く、現在のパケット交換ネットワークで実現可能な相対的に高速な位置サービスが達成される。ある種のケースでは、端末装置と位置センタ間で専用パケットデータ接続を開く必要がない場合、位置サービスはさらに高速になる。
【００２６】
本発明に基づく方法によって、パケット交換に適した或る方法でＬｂインターフェースを利用することにより、さらに、ＧＥＲＡＮシステムのＢＳＣとＳＭＬＣネットワーク構成要素においてパケット交換に適したプロトコル・スタックを実現することにより、ＧＥＲＡＮ（ＧＳＭ  ＥＤＧＥ無線アクセスネットワーク）システムにおける位置サービスの実現が可能となる。
【発明を実施するための最良の形態】
【００２７】
以下、添付図面を参照することにより、好ましい実施例と共に本発明についてのさらに詳細な説明を行う。
【００２８】
図１ａと１ｂを参照しながら、固定電話網とパケット伝送ネットワークとのインターフェースを備えたパケット交換無線システムの典型的構成について説明する。図１ｂは、実施例の説明にとって必須のブロックだけを含む図であるが、一般的なパケット交換セルラ無線ネットワークが別の機能と構成も含むことは当業者には明らかであり、それらについての詳細な記述は本明細書では必要ではない。無線システムは、例えば、ＧＳＭベースのＧＰＲＳやＥＧＰＲＳ、広帯域符号分割多元接続を利用する一般移動電話システムＵＭＴＳあるいはこれらシステムのハイブリッドであってもよい。その場合、ＵＭＴＳスタイルでネットワークの構成について概略が示されており、無線ネットワークはＧＥＲＡＮ（ＧＳＭ拡張型無線アクセスネットワーク）と呼ばれるが、この無線インターフェースは通常のＧＳＭベースの無線インターフェースあるいはＥＤＧＥ変調を利用する無線インターフェースである。
【００２９】
図１ａと１ｂの記載は主としてＵＭＴＳに基づくものである。移動電話システムの主要構成要素は、コアネットワークＣＮ、無線ネットワークＵＴＲＡＮとしても周知のＵＭＴＳ地上無線アクセスネットワーク、及び、ユーザ用装置ＵＥとしても周知の加入者端末である。ＣＮとＵＴＲＡＮ間のインターフェースはＩｕと呼ばれ、ＵＴＲＡＮとＵＥ間のエア・インターフェースはＵｕと呼ばれる。
【００３０】
ＵＴＲＡＮは無線ネットワークサブシステムＲＮＳから成る。ＲＮＳ間のインターフェースはＩｕｒと呼ばれる。ＲＮＳは無線ネットワーク制御装置ＲＮＣ並びに１つ以上のノードＢから成る。ＲＮＣとＢ間のインターフェースはＩｕｂと呼ばれる。セルとしても周知のノードＢの範囲は文字Ｃによって図１ａに示されている。ＲＮＳは、従来の用語では基地局サブシステム（ＢＳＳ）と呼ぶ場合もある。したがって、無線システムのネットワーク構成要素には無線ネットワークＵＴＲＡＮとコアネットワークＣＮとが含まれる。
【００３１】
図１ａの記載は非常に一般的なレベルのものであるため、ＵＭＴＳシステムの各構成要素にほぼ対応するＧＳＭシステムの構成要素を図示することにより、この記載は図１ｂでさらに明瞭なものになる。本図に示す記載は、様々なＵＭＴＳ構成要素の役割と機能がまだ設計段階にあるため、決して拘束力を持つものではなく、むしろ示唆的ものであることに注意のこと。
【００３２】
加入者端末１５０は例えば、固定端末装置や、車載用端末装置や、携帯用端末装置であってもよい。無線ネットワークの基幹施設ＵＴＲＡＮは基地局システムとしても周知の無線ネットワークサブシステムＲＮＳから成る。無線ネットワークサブシステムＲＮＳは、基地局コントローラ１０２としても周知の無線ネットワーク制御装置ＲＮＣと、ＲＮＣの制御下で動作する、基地局１００としても周知の少なくとも１つのノードＢとから成る。
【００３３】
基地局１００は、マルチプレクサ１１６と、いくつかの送受信装置１１４と、送受信装置１１４とマルチプレクサ１１６との動作を制御する制御ユニット１１８とから成る。マルチプレクサ１１６を用いて、いくつかの送受信装置１１４により使用されるトラフィックチャネルと制御チャネルとが伝送チャネル１６０の中へ配置される。
【００３４】
基地局１００内の送受信装置１１４は、加入者端末１５０との双方向無線接続Ｕｕを実現するために使用されるアンテナユニット１１２と接続される。双方向無線接続Ｕｕで伝送されるフレーム構成は厳密に規定される。
【００３５】
基地局コントローラＲＮＣ（参照符号１０２）は、グループ交換マトリックス１２０と制御ユニット１２４とを有する。グループ交換マトリックス１２０は、音声及びデータの切り替え用として、及び、シグナリング回線接続用として用いられる。基地局１００と基地局コントローラ１０２とから成る基地局システムＲＮＳにはトランスコーダ１２２も含まれる。
【００３６】
基地局コントローラ１０２と基地局１００からなる物理的構造並びにこれらの間のタスクの分割は実施される構成に応じて変わりうる。典型的には、基地局１００は、上述のように無線路を実現する役割を果たす。基地局コントローラ１０２は典型的には次のような、無線資源の管理、セル間でのチャネル切り替え制御、電力調整、タイミングと同期、及び、加入者端末のページングの管理を行う。
【００３７】
トランスコーダ１２２は、トランスコーダ１２２と基地局コントローラ１０２間で、移動電話システムのフォーマットで音声データを伝送できるので、典型的には可能な限り移動交換センタ（ＭＳＣ）１３２に近接して配置され、これによって伝送容量の節減が行われる。トランスコーダ１２２は、公衆電話交換網と無線電話網で使用される各種のデジタル音声符号化フォーマット間での変換を行う。例えば、固定ネットワークでの６４ｋｂｉｔ／秒フォーマットから、セルラ無線ネットワークで使用される別のフォーマット（１３ｋｂｉｔ／秒など）への変換が可能であり、この逆の変換も同様に可能である。上記必要なデバイスについてのさらに詳細な説明はここでは行わないが、音声以外の別のデータはトランスコーダ１２２では変換の対象にならないことに注意のこと。
【００３８】
制御ユニット１２４は、呼制御、移動性管理、統計情報の収集、シグナリングを行う。
【００３９】
コアネットワークＣＮはＵＴＲＡＮの外側の移動電話システム基幹施設から成る。図１ｂは、コアネットワークＣＮでの回線交換伝送と関連するデバイスのうち移動交換センタ１３２を示す。
【００４０】
図１ｂからわかるように、交換マトリックス１２０を用いて、移動交換センタ１３２を介して公衆電話交換網（ＰＳＴＮ）１３４の中へ、及び、ＧＰＲＳネットワークのようなパケット伝送ネットワーク１４２の中へ接続（黒い円で示す）を行うことができる。公衆電話交換網１３４では、典型的な端末装置１３６は、従来方式の電話またはＩＳＤＮ（サービス統合ディジタル網）電話である。パケット伝送は、移動電話システム１４８と接続されたコンピュータから加入者端末１５０と接続される携帯用コンピュータ１５２へ、インターネット１４６のようなデータ通信網を介して行われる。加入者端末１５０と携帯用コンピュータ１５２との組み合わせの代わりに、例えばＷＡＰ（無線アプリケーション用プロトコル）電話または、ＰＤＡ（個人用情報機器）を備えた移動通信端末装置を組み込んだノキア９１１０コミュニケータタイプのデバイスの利用が可能である。
【００４１】
パケット伝送ネットワーク１４２と交換マトリックス１２０間の接続がサポートノード１４０（ＳＧＳＮ＝サービスＧＰＲＳサポートノード）により確立される。サポートノード１４０の目的は、基地局システムとゲートウェイノード（ＧＧＳＮ＝ゲートウェイＧＰＲＳサポートノード）１４４間でパケットを転送すること、及び、加入者端末１５０の動作領域内においてこの端末の位置を追跡することである。
【００４２】
ゲートウェイノード１４４は公衆パケット伝送ネットワーク１４６をパケット伝送ネットワーク１４２と接続する。インターネットプロトコルまたはＸ．２５プロトコルをインターフェースで利用することができる。カプセル化を利用することにより、ゲートウェイノード１４４は、公衆パケット伝送ネットワーク１４６からパケット伝送ネットワーク１４２の内部構造を隠すため、公衆パケット伝送ネットワーク１４６の観点から見ると、パケット伝送ネットワーク１４２がサブネットのように見える。公衆パケット伝送ネットワーク１４６は、サブネットで加入者端末１５０へのパケットの送信が可能となり、加入者端末１５０からのパケットの受信が可能となる。
【００４３】
典型的には、パケット伝送ネットワーク１４２は、インターネットプロトコルを利用し、シグナリング並びにユーザデータを運ぶ私設ネットワークである。ネットワーク１４２の構造はオペレータによって変わる場合があり、インターネットプロトコル層の下に在るアーキテクチャとプロトコルとが含まれる。
【００４４】
例えば、公衆パケット伝送ネットワーク１４６はグローバルなインターネットであってもよい。インターネットと接続されている、サーバ・コンピュータなどの端末装置１４８は加入者端末１５０へのパケット送信を望む。
【００４５】
図１ｃは、加入者端末１５０と公衆電話交換網端末装置１３６間で回線交換伝送チャネルの確立を可能にする方法を示す図である。この図で、強調線は、エア・インターフェース１７０のシステムを通ってアンテナ１１２から送受信装置１１４へ、さらにこの送受信装置１１４からマルチプレクサ１１６において多重化され、伝送チャネル１６０を介して交換マトリックス１２０へ向かい、この交換マトリックス１２０において、トランスコーダ１２２の中へ入る出力信号との接続が確立され、トランスコーダ１２２から移動交換センタ１３２で行われる接続を介して公衆電話交換網１３４とその端末装置１３６へ向かうデータフローを示す。基地局１００で、制御ユニット１１８は伝送時にマルチプレクサ１１６を制御し、次いで、基地局コントローラ１０２で、制御ユニット１２４は交換マトリックス１２０を制御し、正しい接続を行う。
【００４６】
図１ｄはパケット交換接続を示す。携帯用コンピュータ１５２が加入者端末ＵＥ（図１ｂの参照符号１５０）と接続されている。強調線は、サーバ・コンピュータ１４８から携帯用コンピュータ１５２への伝送データのフローを示す。言うまでもなく、携帯用コンピュータ１５２からサーバ・コンピュータ１４８への反対方向のデータ伝送も可能である。データは、以下のように流れる：ＵＭインターフェース１７０としても周知のエア・インターフェースのシステムを通って、アンテナ１１２から送受信装置１１４へ、次いで、そこから、マルチプレクサ１１６で多重化され、Ａｂｉｓインターフェースで伝送チャネル（図１ｂの参照符号１６０）を介して交換マトリックス１２０へ、そこで、Ｇｂインターフェースでサポートノード１４０の中へ入る出力との接続が確立される。サポートノード１４０から、データは、パケット伝送ネットワーク１４２を介して、公衆パケット伝送ネットワーク１４６とそのサーバ・コンピュータ１４８と接続されたゲートウェイノード１４４を通って伝送される。
【００４７】
図を明瞭にするために、図１ｃと１ｄには回線交換データとパケット交換データの双方が同時に伝送されるケースは示されていない。しかし、回線交換伝送に使用されない容量をパケット交換伝送用として柔軟に利用できるので、この同時伝送は完全に可能であり、一般に行われていることである。回線交換データを伝送しないネットワーク構成も可能である。このネットワークはパケット交換データ専用として使用される。これによってネットワーク構造の単純化が可能となる。
【００４８】
図１ｄをさらに調べてみる。ＵＭＴＳシステムの各種エンティティ（ＣＮ、ＵＴＲＡＮ、ＲＮＳ、ＲＮＣ、Ｂ）が点線のボックスとしてこの図に概略が示されている。コアネットワークＣＮのパケット交換伝送と関連するデバイスについて以下さらに詳細に説明する。サポートノード１４０、パケット伝送ネットワーク１４２、ゲートウェイノード１４４に加えて、コアネットワークにはゲートウェイ移動位置センタ（ＧＭＬＣ）１８６とホーム位置レジスタ（ＨＬＲ）１８４も含まれる。
【００４９】
ゲートウェイ移動位置センタ１８６の目的は外部クライアント１８８へ位置サービスを提供することである。ホーム位置レジスタ１８４には、位置サービスのための加入者データとルーティング情報とが含まれる。図１ｄに図示の追加の位置サービス用デバイスにはサービス移動位置センタ１８２が含まれるが、該センタは、図示のように、基地局コントローラＲＮＣ（例えばその制御部１２４など）内に常駐が可能である。上記追加の位置サービス用デバイスは基地局コントローラＲＮＣまたはサポートノード１４０のいずれかと接続される別個のデバイスであってもよい。
【００５０】
さらに、位置測定ユニット（ＬＭＵ）１８０が示されている。このユニットは、基地局Ｂ内（例えばその制御部１１８内など）に常駐してもよいし、あるいは、基地局Ｂと接続される別個のデバイスであってもよい。位置測定ユニット１８０の目的は、測位方法が必要とするであろう無線測定を行うことである。
【００５１】
加入者端末用位置測定ユニット１８０は、ＳＭＬＣ（サービス移動位置センタ）としても周知のネットワーク要素である。
【００５２】
図１ｄは、本願に関連する加入者端末ＵＥの構成部分も示す図である。加入者端末ＵＥはアンテナ１９０を備え、このアンテナを介して送受信装置１９２は無線インターフェース１７０から信号を受け取る。加入者端末ＵＥの動作は制御部１９４（典型的には、該制御部の必要なソフトウェアを備えたマイクロプロセッサ）により制御される。
【００５３】
この図に示す構成要素の他に、加入者端末ＵＥは、典型的には、スピーカー、マイク、ディスプレイ、キーボード並びにバッテリから成るユーザ・インターフェースも備えている。これらについては、本発明とは関連しないので本明細書では詳述しない。
【００５４】
また、基地局Ｂ内の送受信装置の構成、及び、加入者端末ＵＥ内の送受信装置の構成についてもこれらのデバイスの実施される構成は当業者には明らかであるので、本明細書では詳述しない。例えば、通常のＥＧＰＲＳ対応の無線ネットワーク送受信装置及び加入者端末送受信装置の利用が可能である。ＯＳＩ（開放型システム間相互接続）モデルの上位層、特に第３層で測位に関連する動作は実行される。
【００５５】
図２は一例としてＥＧＰＲＳ制御プレーンのプロトコル・スタックを示す図である。これらの実施例は決してＥＧＰＲＳに限定されるものではないことに注意のこと。上記プロトコル・スタックは、ＩＳＯ（国際標準化機構）ＯＳＩ（開放型システム間相互接続）モデルに準拠して構成されたものである。ＯＳＩモデルでは、プロトコル・スタックは層に分割される。原則として７つの層の存在が可能である。図２は各ネットワーク要素について当該要素で処理されるプロトコル部分を示す。ネットワーク要素は加入者端末ＭＳ、基地局システムＢＳＳ、サポートノードＳＧＳＮ及び位置センタＳＭＬＣである。基地局と基地局コントローラとは別個に図示されていない。なぜなら、基地局と基地局コントローラ間でのインターフェースが規定されていないからである。したがって基地局システムＢＳＳに割り当てられたプロトコル処理は、原則として、基地局１００と基地局コントローラ１０２間で自由に振り分けることが可能である。実際にはこの場合、たとえトランスコーダ１２２が基地局システムＢＳＳの一部であったとしても、このトランスコーダを使用することはできない。上記様々なネットワーク要素はこれらの要素のインターフェースＵｍ、Ｇｂ、Ｇｎにより分離される。
【００５６】
各デバイスＭＳ、ＢＳＳ、ＳＧＳＮ、ＳＭＬＣにおける層は別のデバイス内の対応する層と論理的に通信を行う。最下位層の物理層だけが相互に直接交信を行う。その他の層は、次の下位層により提供されるサービスを常に利用する。したがって、メッセージは物理的に層間で垂直方向に伝送しなければならない。さらに、最下位層（やはり物理層として周知の）でメッセージは層間で水平方向に伝送されることになる。
【００５７】
ビットレベルでの実際の伝送は最下位の第１層ＲＦ、Ｌ１を用いて実行される。物理層により機械的、電気的及び機能的特性が規定され、当該伝送媒体内への接続が行われる。
【００５８】
データリンク層として周知の次の第２層は、物理層のサービスを利用して、例えば伝送エラーの訂正を行いながら信頼性の高い通信を実現する。エア・インターフェース１７０で、データリンク層はＲＬＣ／ＭＡＣ副層とＬＬＣ副層に分割される。ネットワーク層として周知の第３層により、デバイス間のデータ伝送と交換技術からの独立性が上位層に与えられる。
【００５９】
ネットワーク層は、接続の確立、維持及び切断の役割を果たす。ＧＳＭシステムでは、ネットワーク層はシグナリング層としても知られている。このネットワーク層は２つの主要タスクすなわち、メッセージルーティング、及び、２つのエンティティ間でのいくつかの独立した同時接続を確立する手段を供する。ネットワーク層には、セッション管理（ＳＭ）副層とＧＰＲＳ移動性管理（ＧＭＭ）副層とが含まれる。
【００６０】
ＧＰＲＳ移動性管理副層ＧＭＭは、無線資源管理とは直接関連しない加入者端末の移動結果を管理する。固定ネットワークでは、この副層がユーザ認証制御及びユーザとネットワークとの接続の役割を果たすことになる。したがって、セルラネットワークではこの副層によってユーザの移動性と登録並びに移動性から結果として生じるデータの管理がサポートされる。さらに、この副層により、加入者端末の識別子の検証と、アクセス権限が与えられるサービスの検証とが行われる。この副層でのメッセージ処理は加入者端末ＭＳとサポートノードＳＧＳＮとの間で行われる。
【００６１】
セッション管理副層ＳＭは、パケット交換呼の管理に関連するすべての動作を管理するが、ユーザの移動決定は行わない。セッション管理副層ＳＭは、接続の確立、維持及び解除を行う。この副層には、加入者端末１５０による発信呼とこの加入者端末で終了する呼のための別々の処理手順が含まれる。この副層におけるメッセージ処理は加入者端末ＭＳとサポートノードＳＧＳＮとの間でも行われる。
【００６２】
基地局システムＢＳＳでは、セッション管理副層ＳＭと移動性管理副層ＧＭＭのメッセージは透過的に処理される。すなわち、これらのメッセージは前後に転送されるにすぎない。
【００６３】
ＬＬＣ（論理リンク制御）層はＳＧＳＮとＭＳ間で信頼性の高い暗号化された論理リンクを実現する。ＬＬＣはそれ自体で完全なものであり、下位層から独立し、移動電話ネットワークのネットワーク構成要素に対する、変更されたエア・インターフェースの影響を最小限にする。伝送されるべき情報並びにユーザデータは暗号化により保護される。ＵｍとＧｂインターフェース間で、ＬＬＣデータはＬＬＣ中継層ＬＬＣ  ＲＥＬＡＹで伝送される。ＭＡＣ（媒体アクセス制御）層は以下のタスクの役割を果たす層である：アップリンク接続（加入者端末からネットワーク構成要素への）と、ダウンリンク接続（ネットワーク構成要素から加入者端末への）との双方におけるデータとシグナリングの多重化、アップリンク資源要求の管理、及び、ダウンリンク・トラフィック用資源の配分とタイミングのタスクである。またトラフィック優先順位の処理もこの層の役割である。ＲＬＣ（無線リンク制御）層はＬＬＣ層データ（すなわちＬＬＣフレーム）をＭＡＣ層へ伝送する役割を果たす。ＲＬＣはＬＬＣフレームをＲＬＣデータブロックに分割し、該データブロックをＭＡＣ層へ中継する。アップリンク方向に、ＲＬＣはＲＬＣデータブロックからＬＬＣフレームを構成し、次いで、ＬＬＣ層へこれらのフレームを伝送する。物理層は、Ｕｍインターフェース（ＧＳＭシステムで規定されるエア・インターフェースなど）での無線接続を用いて実現される。物理層は例えば搬送波変調、インタリーブ、伝送データの誤り訂正、同期、送信電力調整を行う。
【００６４】
ＧＰＲＳトンネリングプロトコルＧＴＰ（ＧＰＲＳトンネリングプロトコル）により、異なるＳＧＳＮとＧＧＳＮ間の基幹ネットワークを介してシグナリングのトンネリングが行われる。所望の場合、ＧＴＰはＳＧＳＮとＧＧＳＮ間のフロー制御を実現することもできる。ＵＤＰ（ユーザ・データグラム・プロトコル）は、例えばＩＰ（インターネットプロトコル）を利用する場合などの、信頼性の高いリンクを必要としないＧＴＰ層で当該データパケットを伝送する。ユーザ・レベルでは、ＴＣＰ（伝送制御プロトコル）も使用可能である。ＴＣＰにより、フロー制御並びにＴＣＰを介して伝送されるパケットの損失と破損に対する保護が行われる。なお、ＵＤＰはパケット破損に対する保護を行うにすぎない。
【００６５】
ＩＰはＧＰＲＳの基幹プロトコルであり、その機能にはユーザデータ並びに制御データのルーティングが含まれる。ＩＰはＩＰｖ４プロトコルをベースとすることができるが、将来、このシステムは移行され、ＩＰｖ６プロトコルが利用されることになる。ＢＳＳＧＰ（基地局サブシステムＧＰＲＳプロトコル）層により、上位層データに加えて、ＢＳＳとＳＧＳＮ間でルーティングとサービス品質に関連する情報が運ばれる。この情報の物理的伝送はＦＲ（フレームリレー）層で行われる。ＮＳ（ネットワークサービス）はＢＳＳＧＰプロトコルに基づいてメッセージの転送を行う。
【００６６】
次に、図３から図６を参照して、本発明による加入者端末の測位方法の可能なシグナリング、及び、その可能な用法についての説明を行う。図３は上記測位方法で行われる動作を示すフローチャートであり、図４はこの測位方法で行われるシグナリングを示す信号シーケンス図である。
【００６７】
図示の例では、３ＧＰＰ（第３世代パートナーシッププロジェクト）のステージ３についての記述でまだ仕様化されていない動作が用いられているため、この図で使用されている名称は将来変更される可能性があることに注意のこと。
【００６８】
さらに、例えばＳＭＬＣと基地局コントローラとを実際には同一デバイス内に組み込むことが考えられる。この場合においても本発明による方法を用いて所望の端末装置との関連付けベースの接続を容易にすることが望ましい。
【００６９】
動作はステップ３０１から開始し、ステップ３０２で位置要求が行われる。このような要求４００、４０１は移動端末装置からのＭＯＬＲ要求４０１または別のネットワーク要素からのＭＴＬＲ要求４００のいずれかであってもよい。双方の場合でこの動作は同一である。
【００７０】
図４によれば、ＳＧＳＮで受信される位置サービス要求４００、４０１を送信することにより、位置サービスの内部または外部クライアントまたは移動端末装置ＭＳは或る加入者端末の所在位置に関する情報を要求する。適当なＳＧＳＮへの必要なルーティング情報が、特別のルーティング情報要求によってＨＬＲから取得され、ルーティング情報確認応答を用いてＨＬＲにより確認応答が行われる。この動作は周知のものと考えられるので、さらなる検討は行わない。ルーティング情報に基づいてＧＭＬＣは適当なＳＧＳＮを認知し、加入者端末の所在位置に対する要求を送信する。
【００７１】
図３の次のステップ３０３では、当該ＳＧＳＮにより、パケットコントローラ（すなわち基地局コントローラＧＥＲＡＮのパケット交換機能ＰＣＵ）へＢＳＳＧＰメッセージ４０２が送信され、このメッセージには、少なくともＴＬＬＩ（一時論理リンク識別子）とＢＶＣＩ（ＢＳＳＧＰ仮想接続識別子）情報とが含まれる。ＢＶＣＩは移動端末装置が動作中のセルを示す。
【００７２】
パケットコントローラＰＣＵはステップ３０４で受信したＢＳＳＧＰメッセージ４０２をチェックし、このメッセージが、所在位置メッセージであれば、回線交換用コントローラすなわち基地局コントローラＧＥＲＡＮの回線交換機能ＢＳＣ（図５を参照）が、メッセージ４０３のために確立されたＳＣＣＰ接続によって、メッセージ４０３をさらにＳＭＬＣへ転送できるようにＢＳＳＡＰ−ＬＥプロトコルに変換される。
【００７３】
次のステップ３０５では、位置要求メッセージ４０３は、ＢＳＳＡＰ−ＬＥプロトコルを利用して追加情報としてＳＣＣＰ接続を介してＳＭＬＣへ渡される。
【００７４】
ステップ３０６で確立されたＳＣＣＰ接続を介して、ＳＭＬＣは前記ＢＳＳＡＰ−ＬＥメッセージを含む位置要求メッセージ４０３を受け取る。ＳＭＬＣは所望の方法を用いてこの位置要求を実行する。ＳＣＣＰ接続が確立されているため、ＳＭＬＣは、ＳＣＣＰ接続を用いてステップ３０６で基地局コントローラを介してＭＳ方向に通信の開始が可能となる。基地局コントローラＢＳＣはＴＬＬＩによってＳＣＣＰ接続と、対応するパケット接続との間の関連付けを認知するため、ＢＳＣは適当な端末装置との通信の開始が可能となる。この通信４０９を利用して、要求された方法を用いて測位が実行されることになり、ステップ３０７で所在位置情報または所在位置と関連する別の情報がＳＣＣＰ接続４０５を介してＢＳＳＡＰ−ＬＥメッセージによって返送されることになる。ここで送信される情報は、使用する測位方法に非常に左右される情報である。端末装置ＭＳからのある種の信号（すなわち、移動通信ネットワークのＲＦリンクを介する伝送信号、あるいは、例えば、使用する測位方法に依存するＧＰＳ送受信装置からの信号のいずれか）を要求して、必要な精度でその位置の決定を可能にすることは様々な方法では普通のことである。
【００７５】
ステップ３０８で、回線交換用コントローラＢＳＣはパケットコントローラＰＣＵへメッセージを伝送し、パケットコントローラＰＣＵはメッセージ４０６を転送し、メッセージ４０６はさらにＢＳＳＧＰプロトコルによりＳＧＳＮへ伝送される。この後、ＳＣＣＰ接続の解放が可能となる。ＳＧＳＮが返送された情報４０７、４０８を要求者へ転送すると、動作はステップ３０９で終了する。
【００７６】
図５は、本発明に基づいて関連付けを実現する基地局コントローラの粗いブロック図を示す。本発明に基づくＧＥＲＡＮ（ＢＳＣ、ＰＣＵ）基地局コントローラ５０１は、パケット交換機能用プロトコル・スタック５０２と、回線交換機能用プロトコル・スタック５０３とを有する。パケット交換プロトコル・スタック５０２を用いて、基地局コントローラはＳＧＳＮ５０４と交信を行い、さらに、回線交換プロトコル・スタック５０３を用いて、基地局コントローラはＳＭＬＣ位置サーバ５０５と交信を行う。
【００７７】
また基地局コントローラ５０１はエア・インターフェースＵｍを介して移動局ＭＳとも交信するが、図を明瞭にするために、これは図５には図示されていない。
【００７８】
制御ユニット５０６は関連付けを、したがって、基地局コントローラでのパケット交換通信と回線交換通信とを制御し、或る接続と関連するパケット交換と回線交換メッセージの識別子データ（または所在位置メッセージ全体）を記憶装置５０７の中へ保存して、この関連付けを確立し、該関連付けを検知した後、別のプロトコル・スタック内の対応する層へこれらのメッセージを送信する。この関連付け記憶装置５０５は、必要な情報、すなわち所在位置メッセージ全体またはその識別子データを記憶する。パケット交換接続の場合、この識別子は指定されたＬＣＳメッセージに対応するＴＬＬＩであり、回線交換接続の場合、この識別子はＳＣＣＰ接続ＩＤなどである。この識別子は例えば（図示のように）テーブルとして実現が可能であり、その場合、各パケット交換接続識別子ＴＬＬＩ１、ＴＬＬＩ２、ＴＬＬＩ３等々は、回線交換接続識別子ＳＣＣＰ−ＩＤ1、ＳＣＣＰ−ＩＤ2、ＳＣＣＰ−ＩＤ3等々に対応する。この所在位置返信メッセージが受信されると、（適当な識別子を含み、パケット交換メッセージまたは回線交換メッセージにそれぞれ変換することにより変更された）このメッセージは関連付け記憶装置５０７内のデータを用いて指示されて、別のプロトコル・スタックと適当な受け手へ送信することができる。
【００７９】
図６は、本発明に基づく、ＳＳ７プロトコルを利用するＬｂインターフェースを介する接続を示す図である。Ｌ１すなわち第１層は物理層であり、ＭＴＰプロトコル層は、位置センタＳＭＬＣと基地局コントローラＢＳＣ（すなわち基地局コントローラＧＥＲＡＮの回線交換基地局コントローラ機能）間のメッセージの伝送に用いられる。ＳＣＣＰ層は、対応する層間の仮想接続を実現する。第３層Ｌ３の望ましい実施される構成は、ＢＳＳＡＰ−ＬＥプロトコルに基づきアプリケーション層の送信プロトコルとしての機能を果たす。
【００８０】
本発明の別の実施例では、位置センタＳＭＬＣは基地局コントローラＧＥＲＡＮと一体化される。この場合でも、位置センタの好ましい位置は基地局コントローラの回線交換機能の内部に在り、本発明に基づく関連付けがそのまま基地局コントローラの内部で実現される。
【００８１】
従来技術と比較して新しい特徴を実現するこの好ましい方法はソフトウェアをベースとするものであるが、このことは、その測位方法が、無線システムと位置サーバとからなるネットワーク構成要素において明瞭に規定された機能に対する比較的簡単なソフトウェアの変更を必要とすることを意味する。
【００８２】
好ましい実施例では、ネットワークのパケット交換側のプロトコル・スタックはパケット交換ネットワークから受信した所在位置メッセージをソフトウェアベースで決定し、このメッセージを変換して、回線交換ネットワーク内で回線交換プロトコルの下で適当な端末装置へ転送する手段を有する。これに対して、ネットワークの回線交換側のプロトコル・スタックは、回線交換ネットワークから受信した所在位置メッセージを決定し、このメッセージを変換して、パケット交換ネットワーク内で適当なパケット識別子をつけてパケット交換プロトコルの下で転送するソフトウェアベースの手段を有する。
【００８３】
さらに、本発明に基づく基地局コントローラは、パケット交換ネットワーク側から回線交換ネットワーク側へメッセージを伝送する手段を有し、また、逆に回線交換ネットワーク側からパケット交換ネットワーク側へメッセージを伝送する手段も有する。
【００８４】
測位用として確立されたＳＣＣＰ接続を測位方法の実行時に効果的に利用することが可能であり、この接続は所在位置についての応答が与えられた後解放することができる。
【００８５】
以上、添付図の例を参照しながら本発明を示したが、本発明の範囲が本例に限定されるものではなく、特許請求項により要点が述べられている枠組みの中でこのソフトウェアベースの実施される構成を多くの方法で改変可能であることは明らかである。
【図面の簡単な説明】
【００８６】
【図１ａ】図１ａはセルラーネットワークの構成の一例を示す図である。
【図１ｂ】図１ｂはセルラーネットワークのさらに詳細なブロック図を示す図である。
【図１ｃ】図１ｃは回線交換接続を示す図である。
【図１ｄ】図１ｄはパケット交換接続を示す図である。
【図２】図２はセルラー無線ネットワークのある特定の部分のプロトコル・スタックの一例を示す図である。
【図３】図３は本測位方法で実行される動作を示すフローチャートを示す図である。
【図４】図４は本測位方法で実行されるシグナリングを説明する信号シーケンス図を示す図である。
【図５】図５は本発明に基づく基地局コントローラの実施される構成のブロック図を示す図である。
【図６】図６は本発明に基づくＬｂインターフェースを介する回線交換プロトコルシグナリングを示す図である。
【図１ａ】
2008029029.tif 000003
【図１ｂ】
2008029029.tif 000004
【図１ｃ】
2008029029.tif 000005
【図１ｄ】
2008029029.tif 000006
【図２】
2008029029.tif 000007
【図３】
2008029029.tif 000008
【図４】
2008029029.tif 000009
【図５】
2008029029.tif 000010
【図６】
2008029029.tif 000011
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
パケット交換移動電話ネットワークにおいて加入者端末（ＭＳ）を測位する方法であって、
前記端末装置の測位のために、移動電話ネットワークの基地局システムに属するネットワーク要素（１０２，５０１）を介してコアネットワークからのメッセージを位置センタに伝送し、前記ネットワーク要素はパケット交換機能と回線交換機能の双方を備え、さらに
前記測位に必要な通信を実現するために、前記移動電話ネットワークの前記ネットワーク要素（１０２，５０１）において回線交換とパケット交換双方のメッセージを利用し、
前記パケット交換と回線交換機能間で測位に関連するデータを転送するためにこれらのメッセージ間の関連付け（５０７）を確立し、さらに
前記ネットワーク要素（１０２，５０１）と位置センタ（５０５）の間では回線交換接続が使用され、また前記ネットワーク要素とコアネットワークの間ではパケット交換通信が使用される方法。
【請求項２】
前記ネットワーク要素（１０２，５０１）が基地局コントローラである請求項１に記載の方法。
【請求項３】
前記測位に関連するデータが或る位置要求と関連するデータである請求項１に記載の方法。
【請求項４】
前記測位に関連するデータが或る加入者端末の測位と関連するデータである請求項１に記載の方法。
【請求項５】
位置の決定が前記位置センタ（５０５）により実行され、前記基地局コントローラ（１０５，５０１）と前記位置センタ（５０５）間の接続が回線交換接続であり、前記移動電話ネットワークにおけるその他の接続がパケット交換接続である請求項１に記載の方法。
【請求項６】
前記移動電話ネットワークのコアネットワーク要素（１４０，５０１）が、回線交換接続を確立するためにパケット識別子を持つパケット交換形式で前記基地局コントローラ（１０５，５０１）へ位置要求を伝送する請求項５に記載の方法。
【請求項７】
ＴＬＬＩ（一時論理リンク識別子）などのパケット交換メッセージ識別子をＳＣＣＰ−ＩＤ（シグナリング接続制御部識別子）などの回線交換メッセージ識別子と相互に関連させることにより前記関連付けを確立する請求項１に記載の方法。
【請求項８】
回線交換プロトコルの下で転送可能なメッセージにパケット交換メッセージを変換する請求項７に記載の方法。
【請求項９】
パケット交換プロトコルの下で転送可能なメッセージに回線交換メッセージを変換する請求項７に記載の方法。
【請求項１０】
前記パケット交換機能がＢＳＳＧＰ（基地局サブシステムＧＰＲＳプロトコル）などのパケット交換プロトコルを含む請求項１に記載の方法。
【請求項１１】
前記回線交換機能がＳＳ７（共通線信号方式７）などの回線交換プロトコルを含む請求項１に記載の方法。
【請求項１２】
前記基地局コントローラ（１０２，５０１）と前記位置センタ（１０５）間の接続が、ＳＳ７プロトコルを用いてＬｂインターフェースを介して行われる請求項５に記載の方法。
【請求項１３】
パケット交換移動電話ネットワークにおける加入者端末を測位するシステムであって、  前記のネットワークは、コアネットワーク要素（１４０，５０４）、基地局（１００、Ｂ）、前記基地局を制御する基地局コントローラ（１０２、５０１）、及び、前記の移動電話ネットワークの移動端末装置（１５０）を備え、前記移動電話ネットワークにおける通信がパケット交換方式で構成され、前記システムは、
前記移動電話ネットワークのネットワーク要素と機能的に接続される前記の端末装置（１５０）の位置決定用位置ユニット（５０５）を備え、前記ネットワーク要素（１０２、５０１）と前記位置ユニット（５０５）間の接続は回線交換接続であり、さらに、前記ネットワーク要素（１０２、５０１）が、
回線交換メッセージとパケット交換メッセージとをそれぞれ処理するための、回線交換とパケット交換双方の機能を備え、
前記パケット交換機能と前記回線交換機能間で或る特定の測位と関連するデータ伝送を行うために前記回線交換機能と前記パケット交換機能間の関連付けを確立するように構成されているシステム。
【請求項１４】
前記ネットワーク要素（１０２、５０１）が基地局コントローラである請求項１３に記載のシステム。
【請求項１５】
前記回線交換機能が回線交換プロトコル・スタックを含み、さらに、前記パケット交換機能がパケット交換プロトコル・スタックを含む請求項１３に記載のシステム。
【請求項１６】
前記基地局コントローラ（１０２、５０１）がパケット交換メッセージを回線交換メッセージに変換するように構成されている請求項１４に記載のシステム。
【請求項１７】
前記基地局コントローラ（１０２、５０１）が回線交換メッセージをパケット交換メッセージに変換するように構成されている請求項１４に記載のシステム。
【請求項１８】
前記基地局コントローラ（１０２、５０１）と前記位置ユニット（５０５）間にＬｂインターフェースが存在し、前記Ｌｂインターフェースを介する通信をＳＳ７プロトコルを用いて行うように構成されている請求項１４に記載のシステム。
【請求項１９】
前記位置ユニット（５０５）が前記端末装置の位置を決定できるようにするために、前記システムが前記端末装置（１５０）から信号を取得するように構成されている請求項１３に記載のシステム。
【請求項２０】
パケット交換移動通信システムのネットワーク要素（１０２、５０１）であって、パケット交換メッセージを処理するためのパケット交換機能を備える前記ネットワーク要素は、回線交換メッセージを処理するための回線交換機能を備え、端末装置の測位のためにコアネットワークからメッセージを受信してそれを位置センタに伝送するように構成されており、前記ネットワーク要素と前記位置センタとの間の接続は回線交換接続であり且つ前記ネットワーク要素と前記コアネットワークとの間の通信はパケット交換通信であり、
前記パケット交換機能と前記回線交換機能間で前記の測位に関連するデータ伝送をするために前記回線交換機能と前記パケット交換機能間の関連付けを確立するように構成されているネットワーク要素。
【請求項２１】
前記ネットワーク要素が、前記の移動通信システムのコアネットワークとのパケット交換接続を確立するように構成されており、且つ移動通信端末装置の測位と関連する通信を処理し、パケット交換と回線交換の測位用通信を相互に関連づけるように構成されている請求項２０に記載のネットワーク要素。
【請求項２２】
前記ネットワーク要素（１０２，１０５）が、前記移動通信システムの基地局システムに属するネットワーク要素である請求項２０または２１に記載のネットワーク要素。
【請求項２３】
前記ネットワーク要素（１０２，１０５）が、基地局コントローラである請求項２０または２１に記載のネットワーク要素。